【手続補正書】
【提出日】平成17年6月2日(2005.6.2)
【手続補正１】
【補正対象書類名】明細書
【補正対象項目名】発明の名称
【補正方法】変更
【補正の内容】
【発明の名称】像加熱装置、および画像形成装置
【手続補正２】
【補正対象書類名】明細書
【補正対象項目名】特許請求の範囲
【補正方法】変更
【補正の内容】
【特許請求の範囲】
【請求項１】
加熱体を有する加熱部材と、該加熱部材とニップを形成する加圧部材を有し、ニップで画像を担持した記録材を挟持搬送させて記録材上の画像を加熱する像加熱装置において、
加熱体は少なくとも２系列の通電発熱抵抗層を有し、少なくとも１系列の通電発熱抵抗層は長手方向に抵抗値分布を有することで、通電により中央部に比べて端部の発熱量が大きくなる通電発熱抵抗層であり、
該端部の発熱量が多い通電発熱抵抗層と他の通電発熱抵抗層の少なくとも１系列との通電比率が任意に変動可能な通電制御を行え、
前記通電比率の制御は、記録材通紙実行開始時の装置に具備された温度検知素子の検知温度に応じた通電比率に制御することを特徴とする像加熱装置。
【請求項２】
連続した記録材通紙実行時の前記通電比率の制御は、記録材通紙枚数に応じた通電比率テーブルに従い制御することを特徴とする請求項１に記載の像加熱装置。
【請求項３】
一連の連続した記録材通紙動作が終了した時点で、通電比率テーブル用の記録材通紙枚数をリセットすることを特徴とする請求項１または２に記載の像加熱装置。
【請求項４】
通電比率テーブルは、連続した記録材通紙実行時は、端部の発熱量が大きい通電発熱抵抗層への通電を他の少なくとも１系列の通電発熱抵抗層への通電に比較して、徐々に少なく変動させるものであり、該通電比率テーブルに従い通電制御することを特徴とする請求項１から３の何れかに記載の像加熱装置。
【請求項５】
通電比率テーブルは、通紙される記録材の幅に応じて、端部発熱量が大きい通電発熱抵抗層への通電を他の少なくとも１系列の通電発熱抵抗層への通電に比較して、記録材の幅が狭くなるに従い段階的に少なくするものであり、該通電比率テーブルに従い通電制御することを特徴とする請求項１から４の何れかに記載の像加熱装置。
【請求項６】
加熱部材は移動部材を有し、該移動部材を挟んで加圧部材とのニップが形成され、該ニップの移動部材と加圧部材との間で画像を担持した記録材を挟持搬送させて加熱体により記録材上の画像を移動部材を介して加熱することを特徴とする請求項１から５の何れかに記載の像加熱装置。
【請求項７】
加熱部材のニップ対応部分に加熱体が存在していることを特徴とする請求項１から６の何れかに記載の像加熱装置。
【請求項８】
ニップに通紙される記録材上の画像が未定着画像であることを特徴とする請求項１から７の何れかに記載の像加熱装置。
【請求項９】
記録材に未定着画像を形成担持させる作像手段と、未定着画像を記録材上に永久画像として加熱定着する定着手段を有する画像形成装置において、前記定着手段が請求項１から８の何れかに記載の像加熱装置であることを特徴とする画像形成装置。
【手続補正３】
【補正対象書類名】明細書
【補正対象項目名】０００１
【補正方法】変更
【補正の内容】
【０００１】
【発明の属する技術分野】
本発明は、記録材上の画像を加熱する像加熱装置（未定着画像を記録材上に永久画像として加熱定着させる定着装置、未定着画像を記録材上に仮定着させる加熱装置、画像を担持した記録材を再加熱してつや等の画像表面性を改質する加熱装置など）、該像加熱装置を具備する画像形成装置に関するものである。
【手続補正４】
【補正対象書類名】明細書
【補正対象項目名】００３０
【補正方法】変更
【補正の内容】
【００３０】
そこで本発明は、装置が冷えた状態からの記録材通紙実行時（加熱定着実行時）の端部像加熱性（端部定着性）の確保、且つ、連続した記録材通紙実行時（加熱定着実行時）の非通紙部の過剰昇温の防止、を両立させた、もしくは両立を可能にすることができる、像加熱装置、および画像形成装置の提供を目的とする。
【手続補正５】
【補正対象書類名】明細書
【補正対象項目名】００３１
【補正方法】変更
【補正の内容】
【００３１】
【課題を解決するための手段】
上記課題を解決するために、本発明では下記の構成を特徴とする像加熱装置、および画像形成装置を提供するものである。
【手続補正６】
【補正対象書類名】明細書
【補正対象項目名】００３２
【補正方法】削除
【補正の内容】
【手続補正７】
【補正対象書類名】明細書
【補正対象項目名】００３３
【補正方法】削除
【補正の内容】
【手続補正８】
【補正対象書類名】明細書
【補正対象項目名】００３４
【補正方法】削除
【補正の内容】
【手続補正９】
【補正対象書類名】明細書
【補正対象項目名】００３５
【補正方法】削除
【補正の内容】
【手続補正１０】
【補正対象書類名】明細書
【補正対象項目名】００３６
【補正方法】変更
【補正の内容】
【００３６】
（１）加熱体を有する加熱部材と、該加熱部材とニップを形成する加圧部材を有し、ニップで画像を担持した記録材を挟持搬送させて記録材上の画像を加熱する像加熱装置において、
加熱体は少なくとも２系列の通電発熱抵抗層を有し、少なくとも１系列の通電発熱抵抗層は長手方向に抵抗値分布を有することで、通電により中央部に比べて端部の発熱量が大きくなる通電発熱抵抗層であり、
該端部の発熱量が多い通電発熱抵抗層と他の通電発熱抵抗層の少なくとも１系列との通電比率が任意に変動可能な通電制御を行え、
前記通電比率の制御は、記録材通紙実行開始時の装置に具備された温度検知素子の検知温度に応じた通電比率に制御することを特徴とする像加熱装置。
【手続補正１１】
【補正対象書類名】明細書
【補正対象項目名】００３７
【補正方法】変更
【補正の内容】
【００３７】
（２）連続した記録材通紙実行時の前記通電比率の制御は、記録材通紙枚数に応じた通電比率テーブルに従い制御することを特徴とする（１）に記載の像加熱装置。
【手続補正１２】
【補正対象書類名】明細書
【補正対象項目名】００３８
【補正方法】変更
【補正の内容】
【００３８】
（３）一連の連続した記録材通紙動作が終了した時点で、通電比率テーブル用の記録材通紙枚数をリセットすることを特徴とする（１）または（２）に記載の像加熱装置。
【手続補正１３】
【補正対象書類名】明細書
【補正対象項目名】００３９
【補正方法】変更
【補正の内容】
【００３９】
（４）通電比率テーブルは、連続した記録材通紙実行時は、端部の発熱量が大きい通電発熱抵抗層への通電を他の少なくとも１系列の通電発熱抵抗層への通電に比較して、徐々に少なく変動させるものであり、該通電比率テーブルに従い通電制御することを特徴とする（１）から（３）の何れかに記載の像加熱装置。
【手続補正１４】
【補正対象書類名】明細書
【補正対象項目名】００４０
【補正方法】変更
【補正の内容】
【００４０】
（５）通電比率テーブルは、通紙される記録材の幅に応じて、端部発熱量が大きい通電発熱抵抗層への通電を他の少なくとも１系列の通電発熱抵抗層への通電に比較して、記録材の幅が狭くなるに従い段階的に少なくするものであり、該通電比率テーブルに従い通電制御することを特徴とする（１）から（４）の何れかに記載の像加熱装置。
【手続補正１５】
【補正対象書類名】明細書
【補正対象項目名】００４１
【補正方法】変更
【補正の内容】
【００４１】
（６）加熱部材は移動部材を有し、該移動部材を挟んで加圧部材とのニップが形成され、該ニップの移動部材と加圧部材との間で画像を担持した記録材を挟持搬送させて加熱体により記録材上の画像を移動部材を介して加熱することを特徴とする（１）から（５）の何れかに記載の像加熱装置。
【手続補正１６】
【補正対象書類名】明細書
【補正対象項目名】００４２
【補正方法】変更
【補正の内容】
【００４２】
（７）加熱部材のニップ対応部分に加熱体が存在していることを特徴とする（１）から（６）の何れかに記載の像加熱装置。
【手続補正１７】
【補正対象書類名】明細書
【補正対象項目名】００４３
【補正方法】変更
【補正の内容】
【００４３】
（８）ニップに通紙される記録材上の画像が未定着画像であることを特徴とする（１）から（７）の何れかに記載の像加熱装置。
【手続補正１８】
【補正対象書類名】明細書
【補正対象項目名】００４４
【補正方法】変更
【補正の内容】
【００４４】
（９）記録材に未定着画像を形成担持させる作像手段と、未定着画像を記録材上に永久画像として加熱定着する定着手段を有する画像形成装置において、前記定着手段が（１）から（８）の何れかに記載の像加熱装置であることを特徴とする画像形成装置。
【手続補正１９】
【補正対象書類名】明細書
【補正対象項目名】００４５
【補正方法】削除
【補正の内容】
【手続補正２０】
【補正対象書類名】明細書
【補正対象項目名】０１５９
【補正方法】変更
【補正の内容】
【０１５９】
【発明の効果】
以上説明したように本発明によれば、装置が冷えた状態からの記録材通紙実行時（加熱定着実行時）の端部像加熱性（端部定着性）の確保、且つ、連続した記録材通紙実行時（加熱定着実行時）の非通紙部の過剰昇温の防止、を両立させた、もしくは両立を可能にすることができる、像加熱装置、および画像形成装置を提供することが出来る。